(57)【要約】【課題】集塵袋の着脱を容易にして使い勝手のよい電気掃除機を提供することを目的とする。【解決手段】本体と、電動送風機と、集塵室と、吸気口と連通しているホース接続口と、吸気口が設けられた集塵室の壁面に集塵室側に向かって突出するように吸気口の外縁全周に設けられたシールパッキンと、吸気口と連通する吸気孔を有し、塵埃を収集する集塵袋と、集塵室を開閉自在に覆う蓋体と、を備え、集塵袋は吸気孔が設けられた台紙を有し、集塵室内に台紙挿入部材が設けられ、シールパッキンは吸気孔よりも外側の位置で台紙と当接するように構成され、集塵袋が台紙挿入部材によって集塵室に収容されたときには、シールパッキンと台紙は全周で当接せず、蓋体が集塵室を閉塞する過程で、蓋体に設けられた台紙案内部材が台紙をシールパッキンと全周で当接する位置まで移動させ、蓋体が集塵室を閉塞したときに、台紙案内部材が台紙をその位置で保持する。【選択図】図８
2018082895.tif 000002
【特許請求の範囲】
【請求項１】
本体と、
該本体内に設けられ、塵埃を吸引する吸引空気を発する電動送風機と、
前記本体内に設けられ、吸気口を有する上方が開口した集塵室と、
該集塵室の前記吸気口と連通している、前記本体にホース体を接続するホース接続口と、
前記吸気口が設けられた前記集塵室の壁面に、前記集塵室側に向かって突出するように前記吸気口の外縁全周に設けられたシールパッキンと、
前記集塵室内に着脱自在に収容され、前記吸気口と連通する吸気孔を有し、塵埃を収集する集塵袋と、
前記集塵室の開口した上方を開閉自在に覆う蓋体と、を備え、
前記集塵袋は前記吸気孔が設けられた台紙を有し、
前記集塵室内に、前記集塵袋を前記集塵室内に収容するときに前記台紙を挿入する台紙挿入部材が設けられ、
前記シールパッキンは前記吸気孔の外周よりも外側の位置で前記台紙と全周で当接するように構成されており、
前記集塵袋が、前記台紙挿入部材によって前記集塵室に収容されたときには、前記シールパッキンと前記台紙は全周では当接せず、
前記蓋体が前記集塵室を閉塞する過程で、前記蓋体の前記集塵室側に設けられた台紙案内部材が前記台紙を前記シールパッキンの全周と当接する位置まで移動させ、前記蓋体が前記集塵室を閉塞したときに、前記台紙案内部材が前記台紙をその位置で保持するようにした電気掃除機。
【請求項２】
前記集塵室の前記吸気口上方に、回動可能に設けられた集塵袋検知手段を備え、
該集塵袋検知手段は、前記集塵室内に前記集塵袋が収容されていないときは、付勢手段によって前記集塵室側に回動していて、この状態で前記蓋体により前記集塵室を閉塞しようとすると、前記蓋体の前記集塵室側に設けられた突出部が前記集塵袋検知手段と接触し、前記蓋体が前記集塵室を閉塞できない請求項１記載の電気掃除機。
【請求項３】
前記集塵袋が、前記台紙案内部材によって前記集塵室に収容され、前記蓋体が前記集塵室を閉塞していないときには、前記付勢手段により前記集塵袋検知手段が、前記台紙を前記シールパッキンと当接しないように保持している請求項２記載の電気掃除機。
【請求項４】
前記蓋体が前記集塵室を閉塞する過程で、前記蓋体の前記集塵室側に設けられた台紙案内部材が前記台紙を前記シールパッキンと当接する位置まで移動させると、移動する前記台紙が前記付勢手段に抗して付勢方向と反対側に前記集塵袋検知手段を回動させることで、前記蓋体の前記集塵室側に設けられた突出部と前記集塵袋検知手段との接触が回避されるようになる請求項２〜請求項３何れか１項に記載の電気掃除機。
【請求項５】
前記集塵袋が前記集塵室に収容、かつ前記蓋体が前記集塵室を閉塞した状態から、前記蓋体を開放させると、前記台紙案内部材による前記台紙の保持が解除され、前記付勢手段により前記集塵袋検知手段が、前記台紙を前記シールパッキンとの全周当接状態から離れるように付勢する請求項２〜請求項４何れか１項に記載の電気掃除機。
【請求項６】
前記集塵袋検知手段の幅方向の寸法は、前記台紙の前記吸気孔の直径よりも大きい請求項２〜請求項５何れか１項に記載の電気掃除機。
【発明の詳細な説明】
【技術分野】
【０００１】
本発明は、吸引した塵埃を捕集する集塵袋を備えた電気掃除機に関する。
【背景技術】
【０００２】
従来、集塵袋の未装着による誤使用を防止しつつ、集塵袋の着脱を容易にすることで使い勝手の向上を図った電気掃除機が知られている（例えば、特許文献１参照）。
【先行技術文献】
【特許文献】
【０００３】
【特許文献１】特開２００７−９７６３２号公報（第４頁、図７）
【発明の概要】
【発明が解決しようとする課題】
【０００４】
しかしながら、従来の電気掃除機は、集塵室に集塵袋を装着するときに集塵袋の台紙を保持手段で保持してから、集塵室を覆う蓋体を閉じる必要があり、集塵袋の台紙を保持手段で保持しないまま集塵室を覆う蓋体を閉じようとすると、集塵袋が装着されているにもかかわらず集塵袋の未装着時に蓋体を閉じることを防止する機能が働いて、蓋体を閉じることができない。そのため、あらためて集塵袋の台紙を保持手段で保持しなければならず、使い勝手がよくない。
【０００５】
本発明は、上記課題を解決するためになされたもので、集塵袋の着脱を容易にして使い勝手のよい電気掃除機を提供することを目的とする。
【課題を解決するための手段】
【０００６】
本発明の電気掃除機は、本体と、本体内に設けられ、塵埃を吸引する吸引空気を発する電動送風機と、本体内に設けられ、吸気口を有する上方が開口した集塵室と、集塵室の吸気口と連通している、本体にホース体を接続するホース接続口と、吸気口が設けられた集塵室の壁面に、集塵室側に向かって突出するように吸気口の外縁全周に設けられたシールパッキンと、集塵室内に着脱自在に収容され、吸気口と連通する吸気孔を有し、塵埃を収集する集塵袋と、集塵室の開口した上方を開閉自在に覆う蓋体と、を備え、集塵袋は吸気孔が設けられた台紙を有し、集塵室内に、集塵袋を集塵室内に収容するときに台紙を挿入する台紙挿入部材が設けられ、シールパッキンは吸気孔の外周よりも外側の位置で台紙と全周で当接するように構成されており、集塵袋が、台紙挿入部材によって集塵室に収容されたときには、シールパッキンと台紙は全周では当接せず、蓋体が集塵室を閉塞する過程で、蓋体の集塵室側に設けられた台紙案内部材が台紙をシールパッキンの全周と当接する位置まで移動させ、蓋体が集塵室を閉塞したときに、台紙案内部材が台紙をその位置で保持するようにしたものである。
【発明の効果】
【０００７】
本発明の電気掃除機によれば、集塵袋が、台紙挿入部材によって集塵室に収容されたときには、シールパッキンと台紙は全周では当接していないようにしたので、集塵室に集塵袋を収容するときにはシールパッキンの抵抗がなく容易に収容できる。
【０００８】
また、蓋体が集塵室を閉塞する過程で、蓋体の集塵室側に設けられた台紙案内部材が台紙をシールパッキンと当接する位置まで移動させ、蓋体が集塵室を閉塞したときに、台紙案内部材が台紙をその位置で保持するようにしたので、蓋体を閉塞動作させるだけで容易に集塵袋が定位置に装着され、使い勝手が各段によくなる。
【図面の簡単な説明】
【０００９】
【図１】本発明の実施の形態１に係る電気掃除機の全体を示す概略斜視図である。
【図２】本発明の実施の形態１に係る電気掃除機本体の蓋体を開いた状態の斜視図である。
【図３】本発明の実施の形態１に係る電気掃除機本体の蓋体を開いた状態を上方からみた図である。
【図４】本発明の実施の形態１に係る電気掃除機本体に収容される集塵袋の外観斜視図である。
【図５】本発明の実施の形態１に係る電気掃除機本体の集塵室を前後方向で切断した部分断面図である。
【図６】本発明の実施の形態１に係る電気掃除機本体の集塵室に集塵袋を収容する過程の部分断面図である。
【図７】本発明の実施の形態１に係る電気掃除機本体の集塵室に集塵袋を収容し蓋体を閉める過程の部分断面図である。
【図８】本発明の実施の形態１に係る電気掃除機本体の集塵室に集塵袋を収容し蓋体を完全に閉めた状態の部分断面図である。
【図９】図８においてＡで示した要部拡大図である。
【発明を実施するための形態】
【００１０】
実施の形態１
以下、図１〜図４により本発明の実施の形態１に係る電気掃除機を説明する。図１は本発明の実施の形態１に係る電気掃除機の全体を示す概略斜視図、図２は本発明の実施の形態１に係る電気掃除機本体の蓋体を開いた状態の斜視図、図３は本発明の実施の形態１に係る電気掃除機本体の蓋体を開いた状態を上方からみた図、図４は本発明の実施の形態１に係る電気掃除機本体に収容される集塵袋の外観斜視図である。
なお、それぞれの図において、同じ部分または相当する部分には同じ符号を付し、一部の説明を省略する場合がある。
【００１１】
本発明の実施の形態１に係る電気掃除機１００は、掃除機本体１、ホース体２で構成される。ホース体２は、可撓性ホース３、把持部４、延長管５、吸込具６で構成される。吸込具６は、後述する掃除機本体１内に設けられた電動送風機９が発生させる吸引空気により、空気とともに床等の被清掃面から塵挨等を吸引するためのものである。
【００１２】
吸込具６で空気とともに吸引した塵挨等は、吸込具６と通気可能に接続された延長管５を通過し、その後は延長管５と接続された一部が通気可能に形成されている把持部４を通過、さらに把持部４と通気可能に接続された可撓性ホース３を通過して、掃除機本体１に吸引される。
【００１３】
ホース体２は、可撓性ホース３の把持部４と接続されていない端部側に設けられているホース接続部３ａを介して、掃除機本体１のホース接続口１ａと接続される。なお、本発明の実施の形態の電気掃除機において、ホース接続口１ａを備える側を掃除機本体１の前側とする。今後の説明において、掃除機本体１の方向はこれを基準とする。
【００１４】
掃除機本体１内には電動送風機９が設けられている。電動送風機９の駆動や停止等の動作は、掃除機本体１内に設けられた制御基板（図示せず）により制御される。駆動や停止等の動作を制御する信号は、把持部４に設けられた操作スイッチ（図示せず）を操作することで制御基板（図示せず）に送られる。これにより、電動送風機９は駆動、停止を行う。電動送風機９には、電源コード（図示せず）から商用電源が供給される。
【００１５】
掃除機本体１には、図１、図２に示すように車輪８が設けられている。車輪８は図示されていないが、掃除機本体１の左右側面に設けられている。また、掃除機本体１の下面には図示しないキャスターが設けられている。車輪８と図示しないキャスターにより、把持部４を操ることで掃除機本体１の取り回しが行える。
【００１６】
掃除機本体１内には図２、図３に示すように集塵室１０が設けられており、集塵室１０内には後述する集塵袋１１が収容される。集塵袋１１は、吸引した塵挨等を捕集するためのもので、図１に示すように電動送風機９よりも空気の流れの上流に配置されている。
【００１７】
集塵袋１１は、図４に示すように台紙１１ａと袋体１１ｂで構成される。台紙１１ａと袋体１１ｂは接着剤等で接合されている。台紙１１ａは厚みと硬さのある紙で形成されている。台紙１１ａには、後述する集塵室１０の壁面１０ｂに設けられた吸気口と通気可能に連通し、空気に含まれる塵挨等が通過するための吸気孔１１ｃが設けられている。
【００１８】
袋体１１ｂは、通気可能な紙で形成されている。通気可能な紙であるのでフィルターとしての機能を備えている。そのため、空気とともに吸引した塵挨等が吸気孔１１ｃから取り込まれると、塵挨等の有形物は袋体１１ｂに濾し取られて捕集され、空気は袋体１１ｂを通過して電動送風機９に吸引される。
【００１９】
なお、図４は、集塵袋１１の袋体１１ｂが展開した状態を示した図であるが、集塵袋１１の袋体１１ｂは、図示しないが集塵室に収容されるまでは折りたたまれている。集塵袋１１が集塵室に収容され、電動送風機９が駆動すると、その駆動により発生した吸引空気とともに吸引した塵挨等が袋体１１ｂに取り込まれるが、塵挨等の有形物が空気抵抗となるので、その空気抵抗により袋体１１ｂが展開するようになっている。
【００２０】
図２に示すように集塵室１０は掃除機本体１内に設けられている。集塵室１０は上方が開放しており、集塵室１０の上方を覆い、集塵室１０を閉塞するための蓋体７が掃除機本体１に設けられている。
【００２１】
蓋体７は、掃除機本体１において集塵室１０よりも後方の位置で、図示しないが回動可能に軸止されている。図２、図３は蓋体７を開いた状態を示しており、この状態のとき、図２に示すように集塵袋１１が集塵室１０に収容可能となる。
【００２２】
なお、図２では便宜上、台紙１１ａのみを図示し袋体１１ｂを省略しているが、本来は台紙１１ａと袋体１１ｂが接合されている集塵袋１１として収容される。集塵袋１１を収容し、図１のように蓋体７を閉じると電気掃除機１００として使用可能な状態となる。
【００２３】
次に、図５〜図９により本発明の実施の形態１に係る電気掃除機の集塵室１０の構造、集塵袋１１の収容構造、及び集塵袋１１の保持構造について説明する。また、適宜必要に応じて、図１〜図４を用いて説明する場合もある。
【００２４】
図５は本発明の実施の形態１に係る電気掃除機本体の集塵室を前後方向で切断した部分断面図、図６は本発明の実施の形態１に係る電気掃除機本体の集塵室に集塵袋を収容する過程の部分断面図、図７は本発明の実施の形態１に係る電気掃除機本体の集塵室に集塵袋を収容し蓋体を閉める過程の部分断面図、図８は本発明の実施の形態１に係る電気掃除機本体の集塵室に集塵袋を収容し蓋体を完全に閉めた状態の部分断面図、図９は図８においてＡで示した要部拡大図である。
なお、それぞれの図において、同じ部分または相当する部分には同じ符号を付し、一部の説明を省略する場合がある。
【００２５】
図５に示すように、集塵室１０内には、集塵袋１１を集塵室１０へ収容するときに、集塵袋１１の台紙１１ａを案内する台紙挿入部材１３が設けられている。台紙挿入部材１３は図２、図３に示すように、台紙１１ａの左右方向の両端を案内するように、集塵室１０内で、掃除機本体１の左右方向に延びて設けられている。
【００２６】
また、図５に示すように、掃除機本体１の前側寄りにある集塵室１０の壁面１０ｂには、ホース接続口１ａと通気可能に連通する吸気口１０ａが設けられている。吸気口１０ａは図示しないが円形をしている。
【００２７】
吸気口１０ａには、その外縁全周にシールパッキン１２が設けられている。シールパッキン１２は集塵室１０内側に向かって突出している、柔軟性を有するシール部１２ａを有している。シール部１２ａは、集塵袋１１の台紙１１ａ、詳しくは集塵袋１１の台紙１１ａに設けられた吸気孔１１ｃの外周より外側で台紙１１ａと当接し、吸引空気が吸気口１０ａから吸気孔１１ｃを通過して集塵袋１１の袋体１１ｂへ流れるときの機密性を確保するためのものである。
【００２８】
集塵室１０の壁面１０ｂの上方には集塵袋検知手段１４が設けられている。集塵袋検知手段１４は、回動軸１４ａにより回動可能に掃除機本体１に軸止されている。集塵袋検知手段１４は、付勢手段１５により、上方から見て集塵室１０の内側に向かい入り込むように付勢されている。なお、ここでいう付勢手段とは、バネやゴムのように弾性を有するものであればよい。
【００２９】
集塵袋検知手段１４は、集塵袋１１の台紙１１ａと接するように構成されているが、台紙１１ａと接していないときは、集塵袋１１の台紙１１ａと接する位置よりも集塵室１０の内側に入り込むように付勢されているため、図６に示すように、集塵袋１１を集塵室１０へ収容しようとすると、集塵袋検知手段１４が集塵袋１１の台紙１１ａと接触し、付勢されている方向と逆方向に少し回動する。
【００３０】
集塵袋検知手段１４は、付勢されている方向と逆方向に少し回動するが、付勢手段１５の付勢力により集塵袋検知手段１４が集塵袋１１の台紙１１ａを集塵室１０の内側方向に付勢するようになっている。
【００３１】
言い換えると、集塵袋検知手段１４が集塵袋１１の台紙１１ａを集塵室１０の壁面１０ｂから離れる方向、つまりは壁面１０ｂの吸気口１０ａに設けられたシールパッキン１２から離れる方向に付勢するようになっている。
【００３２】
このように付勢することで、シールパッキン１２を擦りながら集塵袋１１の台紙１１ａを挿入しなくてよくなるので、集塵室１０への集塵袋１１の装着が容易になる。また、シールパッキン１２の摩耗劣化を抑制できる。
【００３３】
図２に示すように、集塵袋検知手段１４の幅方向の寸法ｂは、吸気孔１１ｃの直径ａよりも大きくなっている。このように集塵袋検知手段１４の幅方向の寸法ｂを吸気孔１１ｃの直径ａよりも大きくすることで、集塵袋１１を台紙挿入部材１３に挿入するとき、言い換えると集塵袋１１を集塵室１０へ収容するとき、集塵袋検知手段１４が吸気孔１１ｃに入り込んでしまい引っかかる等して収容の妨げになることを防止でき、集塵室１０への集塵袋１１の装着が容易にできる。
【００３４】
集塵袋１１の台紙１１ａが止まる位置まで挿入しても、シールパッキン１２のシール部１２ａと台紙１１ａは機密性が得られるようには当接していない。シールパッキン１２のシール部１２ａと台紙１１ａは、蓋体７で集塵室１０を閉塞したときに当接し機密性が得られるようになっている。
【００３５】
図２に示すように蓋体７には、台紙案内部材７ａが設けられている。シールパッキン１２のシール部１２ａと台紙１１ａが機密性を得られるように当接していない状態から、蓋体７を閉じ始めると、その過程で台紙案内部材７ａが台紙１１ａの上端部と接触するようになる。
【００３６】
台紙案内部材７ａは、図６に示すように傾斜しており、蓋体７を閉じた状態では、図８、図９に示すように掃除機本体１の前方へ向かって斜め上方へ傾斜している。この傾斜した形状は図９に示す傾斜部７ａａである。
【００３７】
この台紙案内部材７ａの傾斜部７ａａが台紙１１ａの上端部と接触することで、蓋体７を閉じる過程で傾斜に沿って台紙１１ａが前方に押され、シールパッキン１２のシール部１２ａと台紙１１ａが、機密性が得られるように当接する位置まで移動する。また、台紙１１ａの移動にともない、付勢手段１５の付勢力に抗して集塵袋検知手段１４が台紙１１ａに押され、集塵室１０の内側方向から掃除機本体１の前側へ回動する。
【００３８】
シールパッキン１２のシール部１２ａと台紙１１ａが機密性を得られるように当接する位置まで移動し、蓋体７が完全に閉じられ集塵室１０を閉塞した状態になると、図９に示すように台紙１１ａの上端部と傾斜部７ａａとの接触は解除され、台紙案内部材７ａの台紙押え部７ａｂが台紙１１ａをシールパッキン１２のシール部１２ａと台紙１１ａが機密性を確保しながら当接する位置に保持する。
【００３９】
このように蓋体７を閉じて集塵室１０閉塞することで、容易に集塵袋１１の台紙１１ａに設けられた吸気孔１１ｃの外周より外側で台紙１１ａと当接し、吸引空気が吸気口１０ａから吸気孔１１ｃを通過して集塵袋１１の袋体１１ｂへ流れるときの機密性を確保でき、電気掃除機１００が使えるようになるので使い勝手がよい。
【００４０】
集塵室１０へ集塵袋１１を収容して、蓋体７を完全に閉じて集塵室１０を閉塞した状態から蓋体７を開くと、その開いていく過程で、閉じていくときとは逆にシールパッキン１２のシール部１２ａと台紙１１ａが機密性を確保しながら当接する位置に保持していた台紙案内部材７ａの台紙押え部７ａｂが台紙１１ａから離れる。
【００４１】
台紙押え部７ａｂが台紙１１ａから離れることで、さらに蓋体７を開いていくと、集塵袋検知手段１４が集塵袋１１の台紙１１ａを集塵室１０の壁面１０ｂから離れる方向、つまりは壁面１０ｂの吸気口１０ａに設けられたシールパッキン１２から離れる方向に付勢しているので、台紙案内部材７ａの傾斜部７ａａに沿って台紙１１ａがシールパッキン１２のシール部１２ａから離れ、集塵袋１１は蓋体７を閉じる前に収容した位置まで戻される。
【００４２】
このように蓋体７を開けるだけで、集塵袋１１を収容した位置まで戻すことができるので、収容時と同様にシールパッキン１２と集塵袋１１の台紙１１ａを擦らずに集塵袋１１を集塵室１０から容易に取り出すことが出来る。また、シールパッキン１２の摩耗劣化を抑制できる。
【００４３】
集塵袋検知手段１４は、集塵袋１１の台紙１１ａを集塵室１０の壁面１０ｂから離れる方向、つまりは壁面１０ｂの吸気口１０ａに設けられたシールパッキン１２から離れる方向に付勢するだけではなく、集塵袋１１が集塵室１０に収容されていないことを検知する機能も併せ持つ。
【００４４】
前述のように集塵袋検知手段１４は、集塵袋１１の台紙１１ａと接していないときは、付勢手段１５により、上方から見て集塵室１０の内側に向かい入り込むように付勢されている（図３、図５参照）。蓋体７には、図２、図５に示すように突出部７ｂが設けられている。
【００４５】
集塵袋検知手段１４が集塵室１０の内側に向かい入り込んだ状態で、蓋体７を閉じて集塵室１０を閉塞しようとすると、集塵袋１１が集塵室１０に収容されていないので、集塵袋検知手段１４が集塵袋１１の台紙１１ａに押されることがなく、集塵室１０の内側方向から掃除機本体１の前側へ回動しない。
【００４６】
そのため、集塵室１０を閉塞する前に集塵袋検知手段１４の一部と蓋体７の突出部７ｂが接触してしまい、蓋体７が集塵室１０を完全に閉塞できない中途半端な位置で止まってしまう。
【００４７】
集塵袋１１が集塵室１０に収容されていれば、前述のように台紙１１ａの移動にともない、付勢手段１５の付勢力に抗して集塵袋検知手段１４が台紙１１ａに押され、集塵室１０の内側方向から掃除機本体１の前側方向へ回動することにより、集塵袋検知手段１４が蓋体７の突出部７ｂと接触しない位置まで回動するので、蓋体７が集塵室１０を完全に閉塞できるようになる。
【００４８】
このように、集塵袋１１が集塵室１０に収容されていない場合、蓋体７が集塵室１０を完全に閉塞できない状態となることから、集塵袋１１が装着されていないことを認知させることができる。また、集塵袋１１を装着せずに電気掃除機１００を使用してしまう誤使用を防止することができる。
【００４９】
以上のことにより、本発明の電気掃除機は集塵袋を使用する電気掃除機に広く利用が可能である。
【符号の説明】
【００５０】
ａ  吸気孔１１ｃの直径、ｂ  集塵袋検知手段１４の幅方向の寸法、１  掃除機本体、１ａ  ホース接続口、２  ホース体、３  可撓性ホース、３ａ  ホース接続部、４  把持部、５  延長管、６  吸込具、７  蓋体、７ａ  台紙案内部材、７ａａ  傾斜部、７ａｂ  台紙押え部、７ｂ  突出部、８  車輪、９  電動送風機、１０  集塵室、１０ａ  吸気口、１０ｂ  集塵室壁面、１１  集塵袋、１１ａ  台紙、１１ｂ  袋体、１１ｃ  吸気孔、１２  シールパッキン、１２ａ  シール部、１３  台紙挿入部材、１４  集塵袋検知手段、１４ａ  回動軸、１５  付勢手段、１００  電気掃除機
【図１】
2018082895.tif 000003
【図２】
2018082895.tif 000004
【図３】
2018082895.tif 000005
【図４】
2018082895.tif 000006
【図５】
2018082895.tif 000007
【図６】
2018082895.tif 000008
【図７】
2018082895.tif 000009
【図８】
2018082895.tif 000010
【図９】
2018082895.tif 000011